【手続補正書】
【提出日】平成17年1月28日(2005.1.28)
【手続補正１】
【補正対象書類名】明細書
【補正対象項目名】特許請求の範囲
【補正方法】変更
【補正の内容】
【特許請求の範囲】
【請求項１】
窒素酸化物を除去する機能を有する放電部（７）を燃焼室（１）内或いは排気系統（６）に設け、未燃炭化物或いは一酸化炭素の濃度を計測する計測手段（８，９）を排気系統（６）に設けており、該計測手段（８，９）の計測結果が入力され且つ未燃炭化物濃度或いは一酸化炭素濃度が可燃範囲にある場合には放電部（７）から放電しない様に制御する機能を有する制御手段（１２）を設けていることを特徴とする燃焼機関。
【請求項２】
窒素酸化物を除去する機能を有する放電部（７）を燃焼室（１）内或いは排気再循環用の管路（ＥＧＲ）に設け、ノッキングが発生したか否かを検知するノッキング検知手段（１７，１８）を設け、該検知手段（１７，１８）の検知結果が入力され且つノッキングが生じた場合にのみ放電部（７）が放電する様に制御する機能を有する制御手段（１４）を設けていることを特徴とする燃焼機関。
【請求項３】
窒素酸化物を除去する機能を有する放電部（７）を燃焼室（１）内に設け、放電部（７）に帯電している電荷を消失する短絡手段（２１ａ）と、該短絡手段（２１ａ）を制御する制御手段（１４ａ）とを有しており、該制御手段（１４ａ）は、放電部（７）における放電が終了した後に短絡手段（２１ａ）により帯電した電荷をアースへ逃がす様に構成されていることを特徴とする燃焼機関。
【請求項４】
窒素酸化物を除去する機能を有する放電部（７）を燃焼室（１）内或いは排気系統（６）に設け、放電部（７）の放電電圧を計測する電圧計測手段（２５）と、放電部（７）への給電電圧を制御する制御手段（１５）とを有しており、該制御手段（１５）は、計測手段（２５）の計測結果が入力され且つ計測された放電電圧が所定値以上であれば放電部（７）への供給電圧を低減する様に構成されていることを特徴とする燃焼機関。
【請求項５】
窒素酸化物を除去する機能を有する放電部（７）を燃焼室（１）内或いは排気再循環用の管路（ＥＧＲ）に設けた内燃機関にノッキングが生じたか否かを検知するノッキング検知手段（１７）を設け、前記制御手段（１６）は、ノッキングが発生した際に未燃炭化物濃度或いは一酸化炭素濃度が可燃範囲にある場合には、噴射時期或いは点火時期を遅角する制御を行う様に構成されている請求項１の燃焼機関。
【請求項６】
前記制御手段（１６）は、噴射時期或いは点火時期を遅角してもノッキングが回避出来ない場合には、負荷を低減する制御を行う様に構成されている請求項５の燃焼機関。
【請求項７】
窒素酸化物を除去する機能を有する放電部（７）を燃焼室（１）内或いは排気系統（６）に設けた燃焼機関の制御方法において、排気系統における未燃炭化水素或いは一酸化炭素の濃度を計測し、計測された未燃炭化物或いは一酸化炭素濃度が可燃範囲にある場合には放電部（７）からの放電を行わない様に制御することを特徴とする燃焼機関の制御方法。
【請求項８】
窒素酸化物を除去する機能を有する放電部（７）を燃焼室（１）内或いは排気再循環用の管路（ＥＧＲ）に設けている内燃機関の制御方法において、内燃機関にノッキングが発生したか否かを検知し、ノッキングが生じた場合にのみ放電部が放電する様に制御することを特徴とする内燃機関の制御方法。
【請求項９】
窒素酸化物を除去する機能を有する放電部（７）を燃焼室（７）内に設けた内燃機関の制御方法において、放電部（７）における放電が終了した後に、放電部（７）に帯電している電荷を短絡手段（２１ａ）を介してアースへ逃がす様に制御することを特徴とする燃焼機関の制御方法。
【請求項１０】
窒素酸化物を除去する機能を有する放電部（７）を燃焼室（１）内或いは排気系統（６）に設けた内燃機関の制御方法において、放電部（７）の放電電圧を計測し、計測された放電電圧が所定値以上であれば放電部（７）への供給電圧を低減する様に制御することを特徴とする燃焼機関の制御方法。
【請求項１１】
窒素酸化物を除去する機能を有する放電部（７）を燃焼室（１）内或いは排気再循環用の管路（ＥＧＲ）に設けた内燃機関にノッキングが生じたか否かを検知し、ノッキングが発生した際に未燃炭化物濃度或いは一酸化炭素濃度が可燃範囲にある場合に、噴射時期或いは点火時期を遅角する制御を行う請求項７の燃焼機関の制御方法。
【請求項１２】
噴射時期或いは点火時期を遅角してもノッキングが回避出来ない場合には、負荷を低減する制御を行う請求項１１の燃焼機関の制御方法。
【手続補正２】
【補正対象書類名】明細書
【補正対象項目名】０００６
【補正方法】変更
【補正の内容】
【０００６】
【課題を解決するための手段】
本発明による燃焼機関によれば、窒素酸化物を除去する機能を有する放電部（７）を燃焼室（１）内或いは排気系統（６）に設け、未燃炭化物或いは一酸化炭素の濃度を計測する計測手段（８，９）を排気系統（６）に設けており、該計測手段（８，９）の計測結果が入力され且つ未燃炭化物濃度或いは一酸化炭素濃度が可燃範囲にある場合には放電部（７）から放電しない様に制御する機能を有する制御手段（１２）を設けている。
ここで、「燃焼機関」なる文言は、内燃機関（火花点火式内燃機関も、それ以外の内燃機関も含む）や、所謂「予混合圧縮自着火機関」をも包含する意味で使用されている。
【手続補正３】
【補正対象書類名】明細書
【補正対象項目名】０００８
【補正方法】変更
【補正の内容】
【０００８】
本発明にかかる別の燃焼機関によれば、窒素酸化物を除去する機能を有する放電部（７）を燃焼室（１）内或いは排気再循環用の管路（ＥＧＲ）に設け、ノッキングが発生したか否かを検知するノッキング検知手段（１７，１８）を設け、該検知手段（１７，１８）の検知結果が入力され且つノッキングが生じた場合にのみ放電部（７）が放電する様に制御する機能を有する制御手段（１４）を設けている。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】変更
【補正の内容】
【００１２】
本発明のさらに別の構成にかかる燃焼機関によれば、窒素酸化物を除去する機能を有する放電部（７）を燃焼室（１）内に設け、放電部（７）に帯電している電荷を消失する短絡手段（２１ａ）と、該短絡手段（２１ａ）を制御する制御手段（１４ａ）とを有しており、該制御手段（１４ａ）は、放電部（７）における放電が終了した後に短絡手段（２１ａ）により帯電した電荷をアースへ逃がす様に構成されている。
【手続補正７】
【補正対象書類名】明細書
【補正対象項目名】００１４
【補正方法】変更
【補正の内容】
【００１４】
本発明における別の構成にかかる燃焼機関によれば、窒素酸化物を除去する機能を有する放電部（７）を燃焼室（１）内或いは排気系統（６）に設け、放電部（７）の放電電圧を計測する電圧計測手段（２５）と、放電部（７）への給電電圧を制御する制御手段（１５）とを有しており、該制御手段（１５）は、計測手段（２５）の計測結果が入力され且つ計測された放電電圧が所定値以上であれば放電部（７）への供給電圧を低減する様に構成されている。
【手続補正８】
【補正対象書類名】明細書
【補正対象項目名】００１５
【補正方法】変更
【補正の内容】
【００１５】
窒素酸化物を除去する機能を有する放電部（７）を燃焼室（１）内或いは排気再循環用の管路（ＥＧＲ）に設けた内燃機関にノッキングが生じたか否かを検知するノッキング検知手段（１７）を設け、前記制御手段（１６）は、ノッキングが発生した際に未燃炭化物濃度或いは一酸化炭素濃度が可燃範囲にある場合には、噴射時期或いは点火時期を遅角する制御を行う様に構成することが好ましい。
【手続補正９】
【補正対象書類名】明細書
【補正対象項目名】００１６
【補正方法】変更
【補正の内容】
【００１６】
前記制御手段（１６）は、噴射時期或いは点火時期を遅角してもノッキングが回避出来ない場合には、負荷を低減する制御を行う様に構成することが好ましい。これによって、運転停止が不可の場合でも運転を継続できる。
【手続補正１０】
【補正対象書類名】明細書
【補正対象項目名】００１７
【補正方法】変更
【補正の内容】
【００１７】
また、本発明による燃焼機関の制御方法によれば、窒素酸化物を除去する機能を有する放電部（７）を燃焼室（１）内或いは排気系統（６）に設けた燃焼機関の制御方法において、排気系統における未燃炭化水素或いは一酸化炭素の濃度を計測し、計測された未燃炭化物或いは一酸化炭素濃度が可燃範囲にある場合には放電部（７）からの放電を行わない様に制御することを特徴としている。
【手続補正１１】
【補正対象書類名】明細書
【補正対象項目名】００１８
【補正方法】変更
【補正の内容】
【００１８】
また、別の発明による燃焼機関の制御方法によれば、窒素酸化物を除去する機能を有する放電部（７）を燃焼室（１）内或いは排気再循環用の管路（ＥＧＲ）に設けている内燃機関の制御方法において、内燃機関にノッキングが発生したか否かを検知し、ノッキングが生じた場合にのみ放電部が放電する様に制御することを特徴としている。
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】変更
【補正の内容】
【００２０】
さらに、別の発明による燃焼機関の制御方法によれば、窒素酸化物を除去する機能を有する放電部（７）を燃焼室（７）内に設けた内燃機関の制御方法において、放電部（７）における放電が終了した後に、放電部（７）に帯電している電荷を短絡手段（２１ａ）を介してアースへ逃がす様に制御することを特徴としている。
【手続補正１４】
【補正対象書類名】明細書
【補正対象項目名】００２１
【補正方法】変更
【補正の内容】
【００２１】
また、別の発明による燃焼機関の制御方法によれば、窒素酸化物を除去する機能を有する放電部（７）を燃焼室（１）内或いは排気系統（６）に設けた内燃機関の制御方法において、放電部（７）の放電電圧を計測し、計測された放電電圧が所定値以上であれば放電部（７）への供給電圧を低減する様に制御することを特徴としている。
【手続補正１５】
【補正対象書類名】明細書
【補正対象項目名】００２２
【補正方法】変更
【補正の内容】
【００２２】
さらに、窒素酸化物を除去する機能を有する放電部（７）を燃焼室（１）内或いは排気再循環用の管路（ＥＧＲ）に設けた内燃機関にノッキングが生じたか否かを検知し、ノッキングが発生した際に未燃炭化物濃度或いは一酸化炭素濃度が可燃範囲にある場合に、噴射時期或いは点火時期を遅角する制御を行うことが好ましい。